(57)【要約】【課題】画像の鮮明化と構成部品の着脱の容易化を図る。【解決手段】タンク１０８、払出機構１０７、裏横樋１４１、縦樋１４２、外部端子板１８０、満タン検出装置１４３、払出制御装置１５１、発射制御装置１５２のそれぞれが、遊技機枠７１の可動枠７５における遊技主体収納構造体７８の映写装置１の周囲における裏面に取り付けられ、投影機駆動回路、主制御装置１４８、複合制御装置１４９、図柄制御装置１５０のそれぞれが、映写装置１における装置筐体２の裏面に取り付けられる。【選択図】図１
2005160849.tif 000002
【特許請求の範囲】
【請求項１】
遊技機枠に取り付けられる装置筐体に投影機と反射鏡とスクリーンからなる複数の映写構成部品を組み付けた単一構造体として形成された遊技機の映写装置において、映写装置の装置筐体の裏面には筐体側取付部が設けられ、映写および遊技の制御に必要な部品として装置筐体の裏面に設けられる筐体側部品には部品側取付部が設けられ、固定具が部品側取付部の裏側から部品側取付部と筐体側取付部とを互いに結合したことによって、筐体側部品が装置筐体の裏面に裏側から固定具で取り付けられたことを特徴とする遊技機の映写装置。
【請求項２】
遊技機枠における映写装置の周囲の裏面には、遊技に必要な部品として遊技機枠に設けられる枠側部品が遊技機枠の裏面から固定具で取り付けられたことを特徴とする請求項１記載の遊技機の映写装置。
【請求項３】
筐体側部品が、電源装置、投影機駆動回路、主制御装置、複合制御装置、図柄制御装置であることを特徴とする請求項１記載の遊技機の映写装置。
【請求項４】
枠側部品が、払出機構、払出制御装置、発射制御装置であることを特徴とする請求項１記載の遊技機の映写装置。
【請求項５】
筐体側部品と枠側部品とを接続する配線の被覆の色が、筐体側部品どうしを接続する配線の被覆の色や枠側部品どうしを接続する配線の被覆の色と、色違いになっていることを特徴とする請求項１記載の遊技機の映写装置。
【発明の詳細な説明】
【技術分野】
【０００１】
本発明は、画像の鮮明化と構成部品の着脱が容易な遊技機の映写装置に関する。
【背景技術】
【０００２】
パチンコ機やスロットマシンなどの遊技機の映写装置は、遊技機枠の下部に液晶表示器を使用したプロジェクターと呼ばれる投影機を配置し、遊技機枠の上部に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。しかしながら、投影機、反射鏡、スクリーンなど、映写装置を構成する複数の構成部品が、遊技機枠に個別に取り付けられた場合、複数の構成部品相互の位置関係が微妙に狂い、スクリーンに映し出された画像がぼけて品質信頼性に欠けるうえ、複数の構成部品を着脱する作業が面倒であるという欠点がある。
【特許文献１】特開２００３−２２０１９４号公報
【特許文献２】特開平６−３５０６６号公報
【発明の開示】
【発明が解決しようとする課題】
【０００３】
発明が解決しようとする問題点は、投影光源、液晶表示器、反射鏡、スクリーンなど、映写装置を構成する複数の構成部品相互の位置関係が狂いやすく、複数の構成部品を着脱する作業が面倒であるという点である。
【課題を解決するための手段】
【０００４】
本発明に係る遊技機の映写装置は、遊技機枠に取り付けられる装置筐体に投影機と反射鏡とスクリーンからなる複数の映写構成部品を組み付けた単一構造体として形成された遊技機の映写装置において、映写装置の装置筐体の裏面には筐体側取付部が設けられ、映写および遊技の制御に必要な部品として装置筐体の裏面に設けられる筐体側部品には部品側取付部が設けられ、固定具が部品側取付部の裏側から部品側取付部と筐体側取付部とを互いに結合したことによって、筐体側部品が装置筐体の裏面に裏側から固定具で取り付けられたことを、最も主要な特徴とする。遊技機枠における映写装置の周囲の裏面には、遊技に必要な部品として遊技機枠に設けられる枠側部品が遊技機枠の裏面から固定具で取り付けられたり、筐体側部品が、電源装置、投影機駆動回路、主制御装置、複合制御装置、図柄制御装置であったり、枠側部品が、払出機構、払出制御装置、発射制御装置であったり、筐体側部品と枠側部品とを接続する配線の被覆の色が、筐体側部品どうしを接続する配線の被覆の色や枠側部品どうしを接続する配線の被覆の色と、色違いになっていたりすることも特徴とする。
【発明の効果】
【０００５】
本発明に係る遊技機の映写装置は、映写装置の装置筐体の裏面に映写および遊技の制御に必要な筐体側部品を裏側から固定具で取り付けたので、人が、裏側から固定具を操作して映写および遊技の制御に必要な筐体側部品を装置筐体の裏面に取り付けたり、装置筐体の裏面から取り外したりすることが容易にできるという利点がある。しかも、装置筐体に投影機と反射鏡とスクリーンからなる複数の映写構成部品を組み付けた単一構造体として形成された映写装置が遊技機枠の裏面に取り付けられたことによって、遊技機枠に取り付けられた映写装置の複数の構成部品相互の位置関係が装置筐体で確保され、スクリーンに映し出された画像が鮮明であるという利点がある。遊技に必要な部品として遊技機枠に設けられる枠側部品が遊技機枠における映写装置の周囲の裏面に遊技機枠の裏面から固定具で取り付けられれば、人が、裏側から固定具を操作して枠側部品を遊技機枠の裏面に取り付けたり、遊技機枠の裏面から取り外したりすることが容易にできるという利点もある。筐体側部品が電源装置、投影機駆動回路、主制御装置、複合制御装置、図柄制御装置であれば、映写装置だけで、スクリーンに映し出された画像の焦点調整や色合い調整や位置調整などの画質調整を適切に行うことができるという利点もある。遊技構成部品が払出機構、払出制御装置、発射制御装置であれば、遊技主体を異なる別の種類に交換した場合でも、遊技機枠をそのまま使用することができるという利点もある。筐体側部品と枠側部品とを接続する配線の被覆の色が、筐体側部品どうしを接続する配線の被覆の色や枠側部品どうしを接続する配線の被覆の色と色違いになっていれば、映写装置を、遊技機枠に取り付けたり、遊技機枠から取り外したりする場合における配線の接続と接続解除との作業が、容易となるという利点もある。
【発明を実施するための最良の形態】
【０００６】
図１−図１０は、一実施形態である。図１および図２は、遊技機としてのパチンコ機の裏面を示す。図３は、遊技機枠７１の裏側を分解して示す。図４は、映写装置１と遊技機枠７１とを分解した裏側を示す。図５は、固定具２１１を分解して示す。図６は固定具２１１の内部構造の断面を示す。図７は、映写装置１の前側を示す。図８は、遊技機枠７１の前側を示す。図９は映写装置１の取り付けられた遊技機枠７１の前側と遊技盤１１０の前側とを示す。図１０は、電気系統を示す。
【０００７】
図７を参照し、遊技機をパチンコ機とした映写装置１の前側の構造について説明する。映写装置１は、遮光性合成樹脂からなる前側に開放した箱形の装置筐体２に、投影機３、反射鏡４、スクリーン５を組み付けた、ユニットと呼ばれる単一構造体として形成される。装置筐体２の周縁には、取付部としての装置取付部６が、設けられる。装置取付部６は、映写装置１を、図８に示す遊技機枠７１の可動枠７５の裏面に、取り付けるための部分である。３個の装置取付部６は、可動枠７５の図３に示す３個の映写装置取付部７９における台座に嵌め込まれる前側に開口した筒状の嵌合部に囲まれた横長なロック挿入孔１９を備える。１個の装置取付部６は、ねじ挿入孔２０を備える。投影機３は、投影機筐体の下部に投影光源７を内蔵し、投影機筐体の上下方向中間部に液晶表示器８を内蔵し、投影機筐体の上部に投影レンズ９を焦点調整可能に備え、投影機筐体の外側に、モータで駆動されるシロコタイプのブロワーファンのような空冷機１０と、液晶表示器８の投影機制御回路１４７とを備える。空冷機１０は、投影機筐体の内部を空気で冷却する機器である。
【０００８】
そして、装置筐体２の前側から内部の上方に収納された反射鏡４が、装置筐体２における上方から下方に行くに従って徐々に前側から裏側に傾斜する前傾姿勢の裏壁に取り付けられる。これによって、反射鏡４が、装置筐体２の内部の上方に前傾姿勢で取り付けられる。また、投影機３の投影レンズ９が上方で、投影機３の投影光源７が下方となるように、投影機３が、装置筐体２の前側から内部の下方に収納されて装置筐体２に取り付けられる。投影機３が、装置筐体２に取り付けられた後、遮光性合成樹脂よりなる前被覆体１１が、投影機３の前側を被覆する格好で、装置筐体２の前部における下部にタッピングスクリューのような止ねじ１２で取り付けられる。その後、スクリーン５が、反射鏡４の取り付けられた部分における装置筐体２の前側開口を覆うように、装置筐体２の周壁１３の前面に、前側から重ね合わされて接触して搭載される。そして、左右のスクリーン支持体１４が、装置筐体２にタッピングスクリューのような止ねじ１５で取り付けられることによって、スクリーン５が、左右のスクリーン支持体１４で装置筐体２の前面に取り付けられる。これによって、スクリーン５が、周壁１３に支持される。
【０００９】
このように、投影機３、反射鏡４、スクリーン５が、装置筐体２に取り付けられた形態において、投影レンズ９の焦点調整が行われる。それには、投影機３の液晶表示器８に直流電源を供給してテスト画像を表示し、投影機３の投影光源７に交流電源を供給する。これによって、投影機３の投影光源７が、光を画像の表示されている液晶表示器８に照射し、その投影光が、投影機３の投影レンズ９で拡大され、その拡大された投影光が、反射鏡４で前側に反射してスクリーン５に上記液晶表示器８で表示されたテスト画像を拡大して映写する。その状態において、例えば、作業者が、手を、前被覆体１１の前側から前被覆体１１の作業開口部１６を経由して装置筐体２の内部に入れて、投影機３の投影レンズ９を回転操作し、上記スクリーン５に映し出されたテスト画像が、焦点の合わされた態様となるように、作業者が、焦点調整を行う。その後、遮光性合成樹脂よりなる蓋体１７が、作業開口部１６を閉鎖するように前被覆体１１に取り付けられる。これによって、箱形の装置筐体２に投影機３と反射鏡４とスクリーン５とを組み付けた単一構造体に形成された映写装置１が、図７に示す格好に構成される。
【００１０】
図８を参照し、パチンコ機における映写装置１の取り付けられる遊技機枠７１の前側の構造について説明する。遊技機枠７１は、パチンコ店の島と呼ばれる図外の遊技設置構造体に取り付けるための外枠と呼ばれるような金属製の固定枠７２を備える。固定枠７２は、前後方向に開放された縦長な長方形の空間を囲む額縁形状である。固定枠７２の下部前面に設けられた幕板部７３には、図１０に示す低音用のスピーカー１６６の低音を幕板部７３の裏側から前側に放出する放音孔部７４が、左右に設けられる。放音孔部７４の裏面には、低音用のスピーカー１６６が、個別に取り付けられる。固定枠７２には、前枠または中枠と呼ばれるような可動枠７５が、左側の金属製のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５が、閉じられた場合、図外のロック機構によって、開閉不能に固定枠７２に支持される。可動枠本体７７には、パネル枠８１および球皿構造体８２が、左側に設けられる図外のヒンジで前側横方向に片開き可能に取り付けられる。パネル枠８１は、前後方向に開放された窓８３を囲む額縁形状である。パネル枠８１の裏面には、ガラスまたは合成樹脂からなる光透過性を有する前面パネル８４が、窓８３を覆う格好で取り付けられる。パネル枠８１の裏面上部には、図１０に示す中・高音用のスピーカー１６６が、左右に取り付けられる。このスピーカーの設けられるパネル枠８１の部分には、中・高音用のスピーカー１６６の中・高音をパネル枠８１の裏側から前側に放出する図外の放音孔部が、設けられる。
【００１１】
パネル枠８１が、閉じられた場合、図外のロック機構によって、開閉不能に、可動枠本体７７に支持される。球皿構造体８２が、閉じられた場合、ロック機構によって、開閉不能に、可動枠本体７７に支持される。可動枠本体７７の右縦片には、施錠装置８６が、設けられる。可動枠７５やパネル枠８１および球皿構造体８２が、閉じられてロック機構で開閉不能に支持された状態において、遊技店の店員が、図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が、可動枠７５を前側に引くことによって、可動枠７５は、ヒンジ７６を回転中心として前側に片開きされる。また、上記施錠装置８６の鍵穴８７に挿入されたキープレートが、例えば左側に９０度回転操作されると、可動枠７５とパネル枠８１とのロック機構による支持形態が解除される。この支持形態の解除後に、店員が、パネル枠８１を前側に引くことによって、パネル枠８１は、図外のヒンジを回転中心として前側に片開きされる。このように、パネル枠８１が、前側に開かれた状態において、店員が、可動枠７５の前面のロック解除操作体８９を操作すると、可動枠７５と球皿構造体８２とのロック機構による支持形態が解除される。この支持形態の解除後に、店員が、球皿構造体８２を前側に引くことによって、球皿構造体８２は、図外のヒンジを回転中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００１２】
遊技主体収納構造体７８は、前側に開放された遊技主体収納室９５と、遊技主体収納室９５の裏壁に前後方向に貫通する中央開口部９６とを備える。遊技主体収納室９５の左側部には、図９に示す遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する台座の中心にロック操作部１００を回転可能に備える。ロック操作部１００は、台座から前側に突出した操作軸の端部に固定された横長な形態である。
【００１３】
遊技主体収納構造体７８における遊技主体収納室９５よりも下部における前面には、遊技主体棚１０１を備える。遊技主体棚１０１の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を図９に示す遊技盤１１０の遊技領域１１２に向けて発射する。発射レール１０４は、発射機構１０３から発射された球を、図９に示す遊技盤１１０における発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。
【００１４】
図９を参照し、映写装置１と遊技機枠７１とが互いに組み立てられた構造と、遊技機枠７１に交換可能に取り付けられる遊技主体としての遊技盤１１０の構造とについて説明する。映写装置１の周壁１３が、可動枠７５の裏側から中央開口部９６に収納され、スクリーン支持体１４の前面が、遊技主体収納室９５の裏壁の前面と同一面内に位置される。そして、図７に示す映写装置１の装置取付部６のロック挿入孔１９が、図３に示す可動枠７５の裏側から映写装置取付部７９のロック操作体８０に挿入され、ロック操作体８０が、ロック挿入孔１９から裏側に突出した状態において、作業者が、ロック操作体８０を例えば右方向に９０度回転操作すると、ロック操作体８０が、ロック挿入孔１９の周りにおける装置取付部６と係合する、また、タッピングスクリューのような止ねじ８８が、映写装置１のねじ挿入孔２０から図３に示す可動枠７５のねじ取付孔８５に締結される。これによって、映写装置１が、遊技主体収納構造体７８の裏面に取り付けられる。つまり、映写装置１が、可動枠７５に取り付けられる。
【００１５】
遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が、一連に付設される。
【００１６】
発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが、遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００１７】
発射機構１０３から発射された球を発射通路１１５から遊技領域１１２に放出する発射通路１１５の出口には、戻り球防止弁１２０が、設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が、周辺飾り構造体１１１に取り付けられた場合、戻り球防止弁１２０は、戻り球防止弁１２０の取付部の存在する基部から外バンド１１６の側に位置する先端部に行くに従って、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が、上記戻り球防止弁１２０の先端と外バンド１１６の内側面との間に引っかかることなく通過することもできない範囲であればよい。
【００１８】
そして、発射機構１０３から発射された球が、発射通路１１５から戻り球防止弁１２０を押し開けることによって、戻り球防止弁１２０の先端部が、外バンド１１６から離れるように、戻り球防止弁１２０の取付部を基準として、戻り球防止弁１２０が、全体的に遊技領域１１２の側に弾性変形する。そして、戻り球防止弁１２０を押し開けた球が、戻り球防止弁１２０から遊技領域１１２の側に離れることによって、戻り球防止弁１２０の先端部が、外バンド１１６に近づくように、戻り球防止弁１２０が、全体的に図９に示す形態に復元する。このように戻り球防止弁１２０が、復元した形態において、発射通路１１５から遊技領域１１２に発射された球が、遊技領域１１２から発射通路１１５の側に逆行してきた場合、当該球が、戻り球防止弁１２０に衝突し、戻り球防止弁１２０が、当該球を遊技領域１１２から発射通路１１５に取り込まれることを防止して遊技領域１１２に跳ね返す。
【００１９】
周辺飾り構造体１１１の下縁部には、不正防止バンド１２２が、直線的に取り付けられる。不正防止バンド１２２は、弾性の有る合成樹脂で形成されたものであって、パネル枠８１が、閉じられることによって、不正防止バンド１２２が、前面パネル８４の内側面（遊技盤１１０の側に位置する面）に接触し、遊技者が、ピアノ線や合成樹脂製薄帯板などの不正操作部材を遊技領域１１２よりも下方の遊技機枠７１の前側から遊技機枠７１の前面構成部品間の隙間を経由して遊技領域１１２に挿入しようとした場合、パネルの内側面に接触した不正防止バンド１２２が、不正操作部材を受け止めて不正操作部材の遊技領域１１２への侵入を防止する。
【００２０】
周辺飾り構造体１１１の右側の上下部には、遊技盤１１０を遊技機枠７１に固定するための取付部１２３が、設けられる。取付部１２３は、遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が、周辺飾り構造体１１１との連結部である図外のヒンジを回転中心として前方に開かれることによって、下部の取付部１２３が、右周辺飾り構造体１１１の前側から見える格好となる。そして、証紙台１２６が、上記ヒンジを回転中心として後方に閉じられ、証紙台１２６が、証紙台受部１２７で受け止められることによって、取付部１２３が、証紙台１２６で覆われて周辺飾り構造体１１１の前側から見えなくなる。閉じられた証紙台１２６の前面には、図外の証紙が、貼り付けられる。証紙は、遊技盤１１０が、組合の検査に合格して販売の認可を受けたことを証明するものである。
【００２１】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図１０に示す一般入賞球検出器１５５を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図１０に示す作動入賞球検出器１５６を備える。始動入賞部品１３４は、一対の羽根１３７の下部を回転中心とし、一対の羽根１３７を図１０に示す始動駆動源１６１で左右方向に開閉する電動チューリップと呼ばれる構造である。始動入賞部品１３４は、球を遊技領域１１２から取り込み、当該取り込んだ球を遊技領域１１２の裏側に排出する、取込形である。
【００２２】
始動入賞部品１３４の左右一対の羽根１３７は、閉じた場合でも、球を受け入れ得る形態、受け入れない形態のいずれでも適用できる。始動入賞部品１３４の内部には、図１０に示す始動入賞球検出器１５７を備える。可変入賞部品１３５は、横長な長方形状の開閉体１３８の下部を回転中心とし、開閉体１３８を図１０に示す可変駆動源１６２で前後方向に開閉するアタッカーまたは大入賞口と呼ばれる構造である。可変入賞部品１３５の開閉体１３８で閉じたり開かれたりする空洞形状の球受入部の内部には、カウントスイッチと呼ばれる図１０に示す普通入賞球検出器１５８と、Ｖスイッチと呼ばれる図１０に示す特定入賞球検出器１５９とを備える。可変入賞部品１３５の球受入部に取り込まれた球は、普通入賞球検出器１５８または特定入賞球検出器１５９を通過した後に遊技盤１１０の裏側に排出される。よって、可変入賞部品１３５は、取込型である。遊技盤１１０の裏面には、一般入賞部品１３２、始動入賞部品１３４、可変入賞部品１３５、アウト口１１８から遊技盤１１０の裏側に排出された球を下方に誘導して排出する集合樋１３９が、設けられる。
【００２３】
遊技盤１１０を遊技機枠７１に取り付ける場合、遊技盤１１０の遊技領域１１２が、前側に向けられ、遊技盤１１０が、遊技機枠７１の前側から遊技主体収納室９５に挿入され、遊技盤１１０の下部が、遊技主体棚１０１の上に載せられ、遊技盤１１０の左側部が、遊技主体受部９８と遊技主体押圧部９７とで前後方向から挟まれた後、遊技盤１１０の右側部が、後側に押され、遊技主体ロック部材９９のロック操作部１００が、取付部１２３のロック挿入孔１２４に後側から挿入されて前側に突出した状態において、作業者が、ロック操作部１００を例えば右方向に９０度回転操作すると、ロック操作部１００が、ロック挿入孔１２４の周りにおける取付部１２３と係合し、遊技盤１１０が、可動枠７５に取り付けられる。遊技盤１１０が、取り付けられた後、可動枠７５が、閉じられ、球皿構造体８２が、閉じられる。
【００２４】
これによって、映写装置１のスクリーン５の前側に遊技盤１１０の無色の光透過性合成樹脂からなる板状構造体１１３が、非接触に配置される。そして、遊技盤１１０の板状構造体１１３から前側に突出したセンター飾り１３１と一般入賞部品１３２と作動入賞部品１３３と始動入賞部品１３４と可変入賞部品１３５および遊技釘１３６などの遊技部品が、スクリーン５の前側に配置され、遊技盤１１０の丸形開口部１１４が、スクリーン５の前側に対向して配置される。そして、図７に示す投影機３の液晶表示器８が、電気的に画像を表示し、投影機３の投影光源７が、電気的に光を画像の表示されている液晶表示器８に照射し、その投影光が、投影機３の投影レンズ９で拡大され、その拡大された投影光が、反射鏡４で前側に反射してスクリーン５の全域に上記液晶表示器８で表示された画像を拡大して映写し、遊技機枠７１の前側から遊技者が、スクリーン５に映し出された画像を閉じられたパネル枠８１の前面パネル８４と遊技盤１１０の丸形開口部１１４および光透過性合成樹脂からなる板状構造体１１３を通して見ることをできる。
【００２５】
また、遊技者が、球皿構造体８２の球収納部９０に球を入れ、発射操作機構９１および電気系統が、電気的に起動した状態において、人が、発射操作機構９１を操作すると、発射機構１０３が、発射操作機構９１から出力された操作量に応じた発射力で例えば１分間に１から１００発未満までの所定数の間隔で駆動し、この発射機構１０３が、球収納部９０から発射レール１０４に供給された球を１個ずつ遊技盤１１０の発射通路１１５に向けて発射する。この発射通路１１５に発射された球が、発射通路１１５から戻り球防止弁１２０を押し開けて遊技領域１１２に到達した後に遊技領域１１２を流下する過程において、一般入賞部品１３２や始動入賞部品１３４あるいは可変入賞部品１３５に入賞すると、一般入賞部品１３２や始動入賞部品１３４あるいは可変入賞部品１３５に入賞した球が、遊技盤１１０の裏側に排出される一方、それぞれの入賞に対応する賞球としての球が、払出機構１０７から球収納部９０に払い出される。一般入賞部品１３２や始動入賞部品１３４あるいは可変入賞部品１３５に入賞しないで遊技領域１１２の最下部に流れた球は、アウト口１１８に取り込まれた遊技盤１１０の裏側に排出される。これによって、遊技者は、スクリーン５に映し出された画像を遊技領域１１２の全域に見ながら遊技領域１１２に行き交う球の動きを見ることができる。
【００２６】
図１０を参照し、パチンコ機の映写および遊技に必要な電気部品の全系統について説明する。電源装置１４５のプラグがパチンコ店の島電源と呼ばれる交流１００ボルトを交流２４ボルトに変換して出力する図外の店側電源装置に接続され、電源装置１４５の電源スイッチが投入されると、電源装置１４５が店側電源装置から供給された交流電源を投影機駆動回路１４６に出力するとともに店側電源装置から供給された交流電源を直流電源に変換する。投影機駆動回路１４６は、交流電源を直流電源に変換して投影機制御回路１４７に出力する。電源装置１４５は上記変換した直流電源を主制御装置１４８と複合制御装置１４９と図柄制御装置１５０と払出制御装置１５１と発射制御装置１５２とからなる遊技制御装置に供給する。これによって、投影機制御回路１４７と主制御装置１４８と複合制御装置１４９と図柄制御装置１５０と払出制御装置１５１および発射制御装置１５２のそれぞれに格納されたマイクロコンピュータが起動し、図柄制御装置１５０が画像制御信号を投影機制御回路１４７に出力し、投影機制御回路１４７が図柄制御信号に基づき液晶表示器８を駆動し、液晶表示器８が図柄制御信号に対応する画像を表示する一方、投影機制御回路１４７が投影光源７を点灯し、投影光源７が光を画像の表示されている液晶表示器８に照射し、投影光が投影機３の投影レンズ９で拡大され、拡大された投影光が反射鏡４で前側に反射してスクリーン５に上記液晶表示器８で表示された画像を拡大して映写する。
【００２７】
主制御装置１４８には、入力機器と出力機器とが配線で接続される。入力機器は、一般入賞球検出器１５５と作動入賞球検出器１５６と始動入賞球検出器１５７と普通入賞球検出器１５８および特定入賞球検出器１５９などである。出力機器は、始動駆動源１６１と可変駆動源１６２と遊技店の管理を行うホールコンピュータ１６３などである。複合制御装置１４９は主制御装置１４８と配線で接続され、複合制御装置１４９には表示灯１６５およびスピーカー１６６などの出力機器が配線で接続される。表示灯１６５は、図９に示す遊技機枠７１の前部または遊技盤１１０の前部に設けられ、点灯、点滅、消灯で遊技演出を行う部品である。スピーカー１６６は音で遊技演出を行う部品である。
【００２８】
払出制御装置１５１は主制御装置１４８と配線で接続され、払出制御装置１５１には、図９に示す払出機構１０７の払い出される球を検出する払出球検出器１６７と払出機構１０７のタンク１０８の側に球切れの発生があることを検出する球切れ検出器１６８および払出機構１０７の球皿構造体８２の側に球が満タンであることを検出する満タン検出器１６９などの入力機器と、払出機構１０７の球を払い出す動作を行ったり停止したりする払出駆動源１７０としての出力機器とが配線で接続される。満タン検出器１６９は、図１の満タン検出装置１４３に設けられる。発射制御装置１５２は払出制御装置１５１と配線で接続される。発射制御装置１５２には、発射操作機構９１の球の発射を停止するための発射停止検出器１７１と発射操作機構９１への遊技者による操作量を可変抵抗値として出力する可変抵抗器１７２および発射操作機構９１への遊技者の接触を検出する接触検出器１７３などの入力機器と、発射機構１０３の発射駆動源１７４としての出力機器とが配線で接続される。
【００２９】
そして、投影機駆動回路１４６、投影機制御回路１４７、遊技制御装置が電気的に起動した状態において、一般入賞球検出器１５５が一般入賞検出信号を主制御装置１４８に出力すると、主制御装置１４８が一般入賞検出信号に対応して定められて賞球払出数を含む賞球払出信号を払出制御装置１５１に出力し、払出制御装置１５１が払出駆動源１７０を駆動する。これによって、図２に示す払出機構１０７のスプロケットのような払出体１４４が回転を開始し、払出機構１０７が賞球としての球を払い出す。この払い出された球は、縦樋１４２を経由して図９に示す球皿構造体８２の球収納部９０に排出される。作動入賞球検出器１５６が作動入賞検出信号を主制御装置１４８に出力すると、主制御装置１４８が作動入賞による抽選処理を実行した結果とともに作動入賞による演出開始信号を複合制御装置１４９に出力し、複合制御装置１４９が演出開始信号に基づく普図変動開始信号を図柄制御装置１５０に出力し、図柄制御装置１５０が普図変動開始信号に基づく例えば「０」−「９」までの複数の普通図柄データおよび普図変動データを投影機制御回路１４７に出力する。これによって、投影機制御回路１４７が液晶表示器８における表示画面に割り当てられた普通図柄表示領域に複数の普通図柄を可変表示するように液晶表示器８を制御する。普通図柄が液晶表示器８に表示される場合、投影機制御回路１４７は普通図柄表示領域における普通図柄以外の画像を陰面処理する。これによって、スクリーン５に表示された普通図柄と画像とが、重ならず、見やすくなる。
【００３０】
主制御装置１４８は演出開始信号を複合制御装置１４９に出力した時点からの経過時間を計測し、計測した経過時間が主制御装置１４８に定められた普図変動時間に到達すると、作動入賞による抽選処理の結果とともに演出停止信号を複合制御装置１４９に出力し、複合制御装置１４９が演出停止信号に基づく普図変動停止信号を図柄制御装置１５０に出力し、図柄制御装置１５０が抽選処理の結果を反映した普通図柄確定データを投影機制御回路１４７に出力する。これによって、投影機制御回路１４７が普通図柄表示領域に抽選処理の結果を反映した普通図柄を停止表示するように液晶表示器８を制御する。上記主制御装置１４８が複合制御装置１４９に演出停止信号と一緒に出力抽選処理の結果が当たりである場合、上記液晶表示器８が例えば「７」の普通図柄を当たりで停止表示する時期に、主制御装置１４８は始動駆動源１６１を所定回数と所定時間とで駆動する。これによって、図９の始動入賞部品１３４の羽根１３７が上記所定回数と所定時間とに基づき開閉する。当たりで停止表示される普通図柄は、同じ普通図柄を２つ並べた形態でもよい。
【００３１】
始動入賞球検出器１５７が始動入賞検出信号を主制御装置１４８に出力すると、主制御装置１４８が始動入賞による抽選処理を実行した結果とともに始動入賞による演出開始信号を複合制御装置１４９に出力し、複合制御装置１４９が演出開始信号に基づく特図変動開始信号を図柄制御装置１５０に出力し、図柄制御装置１５０が特図変動開始信号に基づく例えば「０」−「９」や「絵図柄」などの複数の特別図柄データおよび特図変動データを投影機制御回路１４７に出力する。これによって、投影機制御回路１４７が液晶表示器８における表示画面に割り当てられた特別図柄表示領域に複数の特別図柄を可変表示するように液晶表示器８を制御する。特別図柄が液晶表示器８に表示される場合、投影機制御回路１４７は特別図柄表示領域における特別図柄以外の画像を陰面処理する。これによって、スクリーン５に表示された特別図柄と画像とが、重ならず、見やすくなる。
【００３２】
主制御装置１４８は演出開始信号を複合制御装置１４９に出力した時点からの経過時間を計測し、計測した経過時間が主制御装置１４８に定められた特図変動時間に到達すると、始動入賞による抽選処理の結果とともに演出停止信号を複合制御装置１４９に出力し、複合制御装置１４９が演出停止信号に基づく特図変動停止信号を図柄制御装置１５０に出力し、図柄制御装置１５０が抽選処理の結果を反映した特別図柄確定データを投影機制御回路１４７に出力する。これによって、投影機制御回路１４７が特別図柄表示領域に抽選処理の結果を反映した特別図柄を停止表示するように液晶表示器８を制御する。
【００３３】
前記主制御装置１４８が複合制御装置１４９に演出停止信号と一緒に出力抽選処理の結果が当たりである場合、上記液晶表示器８が例えば同じ特別図柄を３個一列に並べた形態のように当たりで停止表示する時期に、主制御装置１４８は可変駆動源１６２を所定回数と所定時間とで駆動する。上記当たりで停止表示される特別図柄は、３個に限定されるものではなく、１個、２個、４個以上であってもよい。上記可変駆動源１６２の駆動によって、図９に示す可変入賞部品１３５の開閉体１３８が上記所定回数と所定時間とに基づき開閉する。この可変入賞部品１３５による動作が大当たり遊技である。即ち、開閉体１３８の開放中に可変入賞部品１３５に取り込まれた球は、普通入賞球検出器１５８または特定入賞球検出器１５９のいずれかで検出される。主制御装置１４８は、開閉体１３８の開放経過時間をカウントアップし、普通入賞球検出器１５８から普通入賞信号が入力されるごとに普通入賞個数をカウントアップする。そして、開放経過時間によるカウントアップ値が主制御装置１４８に設定された例えば３０秒のような設定開放時間に到達するか、または、普通入賞個数によるカウントアップ値が主制御装置１４８に設定された例えば１０個のような設定普通入賞個数に到達すると、主制御装置１４８が可変駆動源１６２を停止する。
【００３４】
これによって、可変入賞部品１３５の開閉体１３８が閉じる。この１回の開閉体１３８の開放中において、主制御装置１４８は、特定入賞球検出器１５９から特定入賞信号が入力されると、当該開閉体１３８における１回の開閉終了後に、開閉体１３８を再び１回開閉するために可変駆動源１６２を駆動するとともに、ラウンド遊技の継続回数を１回としてカウントアップする。この特定入賞信号で開閉体１３８が再び１回開閉するランド遊技は、上記ラウンド遊技の継続回数によるカウントアップ値が主制御装置１４８に設定された例えば１６回のような設定継続回数に到達するまで繰り返され、１回の大当たり遊技が終了する。また、上記普通入賞信号および特定入賞信号の入力ごとに、主制御装置１４８は、普通入賞信号または特定入賞信号に対応して定められて賞球払出数を含む賞球払出信号を払出制御装置１５１に出力し、払出制御装置１５１が払出駆動源１７０を駆動し、図９に示す払出機構１０７が賞球としての球を球皿構造体８２の球収納部９０に払い出す。
【００３５】
図３を参照し、可動枠７５の裏側に取り付けられる各構成部品の構造と映写装置１の裏側に取り付けられる各構成部品の構造とについて説明する。遊技機枠７１は、中央開口部９６の周囲に、映写装置取付部７９を備える。３個の映写装置取付部７９は、遊技主体収納室９５の縦壁から裏側に突出する台座の中心にロック操作体８０を回転可能に備える。ロック操作体８０は、台座から裏側に突出した操作軸の端部に固定された横長な形態である。１個の映写装置取付部７９は、遊技主体収納室９５の縦壁から裏側に突出する支柱の中心にねじ取付孔８５を備える。可動枠７５の裏部、具体的には、遊技主体収納構造体７８の裏面の上部には、タンク１０８と裏横樋１４１と払出機構１０７とが、左右に並べられて取り付けられる。タンク１０８は、遊技設置構造体の補給系統から供給された球を貯蔵し、貯蔵した球を払出機構１０７の球払出動作に伴い裏横樋１４１から払出機構１０７に供給する部品である。遊技主体収納構造体７８の裏面におけるヒンジ７６の側に位置する側部には、縦樋１４２と満タン検出装置１４３と払出制御装置１５１と発射制御装置１５２とが、取り付けられる。満タン検出装置１４３の球出口は、遊技主体収納構造体７８の前横樋１０６の球入口に接続される。
【００３６】
満タン検出装置１４３よりも上方における遊技主体収納構造体７８の裏面におけるヒンジ７６の側に位置する側部には、縦樋取付部１７６が、上下に位置し、前方に開放された筒状に突出する形態に設けられる。縦樋１４２は、払出機構１０７から払い出された球を下方の満タン検出装置１４３に誘導するものであって、縦樋１４２から外側に突出する縦樋１４２の取付足１７７には、前後方向に貫通する取付孔１７８が、設けられる。固定具１７９が取付孔１７８に取り付けられた状態において、取付足１７７より前側に突出した固定具１７９が縦樋取付部１７６に押し込まれることによって、縦樋１４２が、払出機構１０７の球出口と満タン検出装置１４３の球入口とに接続されつつ、遊技主体収納構造体７８の裏面に取り付けられる。そして、タンク１０８と裏横樋１４１および払出機構１０７に球が、供給されている状態において、払出機構１０７に内蔵されたスプロケットのような払出体１４４が、図１０に示す払出駆動源１７０で駆動されると、払出機構１０７が、賞球または貸球としての球を払い出し、この払出機構１０７から払い出された球は、縦樋１４２と満タン検出装置１４３および前横樋１０６を経由して図９に示す球皿構造体８２の球収納部９０に払い出される。
【００３７】
縦樋１４２の裏面には、上方の中継端子板取付部２００と下方の係合部１９５とを備える。中継端子板取付部２００は、縦樋１４２の裏面から裏側に突出し、前方に開放された筒状である。縦樋１４２の裏面は、縦樋１４２の裏面から裏側に突出し、上方に開口された形態である。縦樋１４２の裏面には、図１０に示すホールコンピュータ１６３を配線で接続するための外部端子板１８０が、設けられる。外部端子板１８０は、下部に係合部１８４を備え、上部に取付足１８１を備える。取付足１８１には、前後方向に貫通する取付孔１８２が、設けられる。そして、固定具１８３が取付孔１８２に取り付けられ、係合部１８４が縦樋１４２の係合部１９５に上方から嵌め込まれ、取付足１８１より前側に突出した固定具１８３が縦樋１４２の中継端子板取付部２００に押し込まれることによって、外部端子板１８０が、縦樋１４２の裏面に取り付けられる。
【００３８】
装置筐体２の裏面に取り付けられる映写装置１における各構成部品の構造について説明する。反射鏡４（図７参照）の取り付けられる部分における装置筐体２の前傾姿勢となった裏壁の上部には、電源装置１４５がタッピングスクリューのような固着具としての止ねじ１８５で取り付けられる。反射鏡４の取り付けられる部分における装置筐体２の前傾姿勢となった裏壁の下部には、合成樹脂からなる単一構成の制御取付基板１８がタッピングスクリューのような止ねじ１８６で取り付けられる。制御取付基板１８は、上下の主制御装置係合部１８７と上下の主制御装置取付部１８８と上下の複合制御装置係合部１８９と上下の複合制御装置取付部１９０とを備える。主制御装置係合部１８７は、制御取付基板１８の左右方向中間に位置し、左側に開口した形態で、制御取付基板１８の裏面から裏側に突出する。主制御装置取付部１８８は、制御取付基板１８の左側に位置し、裏側に開口した筒状で、制御取付基板１８の裏面から裏側に突出する。複合制御装置係合部１８９は、制御取付基板１８の左右方向中間に位置し、右側に開口した形態で、制御取付基板１８の裏面から裏側に突出する。複合制御装置取付部１９０は、制御取付基板１８の右側に位置し、裏側に開放された筒状で、制御取付基板１８の裏面から裏側に突出する。
【００３９】
主制御装置１４８は、上下の係合部１９１と上下の取付足１９２とを備える。係合部１９１は、主制御装置１４８の右側部から右側に突出する。取付足１９２は、主制御装置１４８の左側部から左側に突出する。取付足１９２は、前後方向に貫通する取付孔１９３を備える。そして、固定具１９４が取付孔１９３に取り付けられ、係合部１９１が主制御装置係合部１８７に左側から嵌め込まれ、取付足１９２より前側に突出した固定具１９４の先端部が主制御装置取付部１８８に押し込まれることによって、主制御装置１４８が、制御取付基板１８の裏面の左半部に取り付けられる。複合制御装置１４９は、上下の係合部１９６と上下の取付足１９７とを備える。係合部１９６は、複合制御装置１４９の左側部から右側に突出する。取付足１９７は、上下に位置し、複合制御装置１４９の左側部から左側に突出する。取付足１９７は、前後方向に貫通する取付孔１９８を備える。そして、固定具１９９が取付孔１９８に取り付けられ、係合部１９６が複合制御装置係合部１８９に右側から嵌め込まれ、取付足１９７より前側に突出した固定具１９９の先端部が複合制御装置取付部１９０に押し込まれることによって、複合制御装置１４９が、制御取付基板１８の裏面の左半部に取り付けられる。
【００４０】
投影機３（図７参照）の取り付けられる部分における装置筐体２の垂直姿勢となった裏壁には、図柄制御装置取付部２０１が設けられる。図柄制御装置取付部２０１は、装置筐体２の垂直姿勢となった裏壁の上側で左右に位置し、裏側に開口した筒状で、装置筐体２の垂直姿勢となった裏壁の裏面から裏側に突出する。図柄制御装置１５０は、左右の取付足２０２を備える。取付足２０２は、図柄制御装置１５０の上部から上方に突出する。取付足２０２は、前後方向に貫通する取付孔２０３を備える。そして、固定具２０４が取付孔２０３に取り付けられ、取付足２０２より前側に突出した固定具２０４の先端部が、図柄制御装置取付部２０１に押し込まれることによって、図柄制御装置１５０が、装置筐体２の裏面の下部に取り付けられる。
【００４１】
満タン検出装置１４３よりも下部における遊技主体収納構造体７８の裏面には、上下の払出制御装置取付部２０６を備える。払出制御装置取付部２０６は、裏側に開口した筒状で、遊技主体収納構造体７８の裏面から裏側に突出する。払出制御装置１５１は、上下の取付足２０７を備える。取付足２０７は、払出制御装置１５１の右側部から前側に突出する。取付足２０７の前側から左側に突出する先端部には、前後方向に貫通する取付孔２０８を備える。そして、固定具２０９が取付孔２０８に取り付けられ、取付足２０７の先端部より前側に突出した固定具２０９の先端部が、払出制御装置取付部２０６に押し込まれることによって、払出制御装置１５１が、遊技機枠７１における可動枠７５の裏面の下部に取り付けられる。遊技に必要な部品として遊技機枠７１に設けられる縦樋取付部１７６および払出制御装置取付部２０６は、遊技機枠７１に設けられた枠側取付部である。取付足１７７；１８１；１９２；１９７；２０２；２０７が部品に設けられた部品側取付部である。主制御装置係合部１８７と主制御装置取付部１８８と複合制御装置係合部１８９と複合制御装置取付部１９０および図柄制御装置取付部２０１が、装置筐体２の裏面に設けられた筐体側取付部である。
【００４２】
図４を参照し、映写装置１の遊技機枠７１への組立方について説明する。遊技機枠７１における遊技主体収納構造体７８の裏面の上部には、タンク１０８と払出機構１０７とが、左右に並べられて取り付けられる。遊技主体収納構造体７８の裏面におけるヒンジ７６の側に位置する側部には、外部端子板１８０を備えた縦樋１４２と、満タン検出装置１４３と払出制御装置１５１と発射制御装置１５２とが、取り付けられる。払出制御装置１５１は、満タン検出装置１４３と発射制御装置１５２とを裏側から覆う格好で、遊技主体収納構造体７８に取り付けられる。その理由は、払出制御装置１５１が、カード端子を備える。カード端子は、プリペイドカードで球貸を行うためのカードユニットからの配線を払出制御装置１５１に接続するためコネクタより形成される。よって、払出制御装置１５１が、満タン検出装置１４３と発射制御装置１５２とを裏側から覆う格好で、遊技主体収納構造体７８に取り付けられれば、カード端子とカードユニットからの配線とを接続する場合、満タン検出装置１４３と発射制御装置１５２とが作業の邪魔とならず、カード端子とカードユニットからの配線との接続作業が容易となる。
【００４３】
映写装置１における装置筐体２の裏面には、電源装置１４５と主制御装置１４８と複合制御装置１４９と図柄制御装置１５０および図１に示す投影機駆動回路１４６が取り付けられる。そして、電源装置１４５と主制御装置１４８と複合制御装置１４９と図柄制御装置１５０および投影機駆動回路１４６の取り付けられた映写装置１が、遊技機枠７１の裏面に次のように取り付けられる。映写装置１の周壁１３が、可動枠７５の方向である前側に向けられ、映写装置１の装置取付部６のロック挿入孔１９が、可動枠７５の裏側から映写装置取付部７９のロック操作体８０に挿入され、ロック操作体８０が、ロック挿入孔１９から裏側に突出した状態において、作業者が、ロック操作体８０を例えば右方向に９０度回転操作すると、ロック操作体８０が、ロック挿入孔１９の周りにおける装置取付部６と係合する、また、タッピングスクリューのような止ねじ２０５が、映写装置１のねじ挿入孔２０から可動枠７５のねじ取付孔８５に締結される。これによって、映写装置１が、遊技主体収納構造体７８の裏面に取り付けられる。
【００４４】
図５を参照し、図３に示した固定具１７９；１８３；１９４；１９９；２０４；２０９に相当する固定具２１１の構造について説明する。固定具２１１は、市販品であって、係合具２２２と操作具２２３とを備える。係合具２２２および操作具２２３は、互いに別々に形成される。係合具２２２は、前後方向に貫通する中心孔２２４を有する円筒本体２２５の一端部に受部２２６を備え、円筒本体２２５の他端部に掛止部２２７を備える。受部２２６と掛止部２２７との間における円筒本体２２５の外周面は、受部２２６の外径と掛止部２２７の外径との双方よりも細い、くびれ部２２８として形成される。受部２２６は円筒本体２２５の一端部より軸心方向の外側に開口する皿状である。掛止部２２７は、割溝２２９によって、周方向に独立した複数の片持ち梁のような弾性片として形成される。割溝２２９は、掛止部２２７の他端部とくびれ部２２８との間を、軸心方向と直径方向とに切り欠かれている。掛止部２２７を構成する各弾性片の中心孔２２４を囲む内面には、突起２３０が、軸心方向に向けて突出する。操作具２２３は、棒本体２３１の一端部に鍔２３２とくびれ部２３３と摘み２３４とを備え、棒本体２３１の他端部に係合溝２３５を備える。棒本体２３１は、受部２２６の方向から中心孔２２４に挿入されるとともに、中心孔２２４に挿入された場合に突起２３０を中心孔２２４の径方向外側に押して掛止部２２７を押し広げる、太さである。鍔２３２は、棒本体２３１の外径よりも大きな外径であって、受部２２６における周壁で囲まれた内部に取り込まれる大きさである。くびれ部２３３は、鍔２３２から同軸状に突出し、鍔２３２と摘み２３４との双方よりも細い。摘み２３４は、摘み２３４から同軸状に突出し、くびれ部２３３と鍔２３２との双方よりも太い円盤形状である。
【００４５】
図６を参照し、固定具２１１による被取付部材２４１の相手側部材２４２への取付構造について説明する。図６において、被取付部材２４１は、図３に示す縦樋１４２の取付足１７７、外部端子板１８０の取付足１８１、主制御装置１４８の取付足１９２、複合制御装置１４９の取付足１９７、図柄制御装置１５０の取付足２０２、払出制御装置１５１の取付足２０７に相当する。被取付部材２４１に設けられた取付孔２４３は、図３に示す取付足１７７に設けられた取付孔１７８、取付足１８１に設けられた取付孔１８２、取付足１９２に設けられた取付孔１９３、取付足１９７に設けられた取付孔１９８、取付足２０２に設けられた取付孔２０３、取付足２０７に設けられた取付孔２０８に相当する。相手側部材２４２は、図３に示す装置筐体２と制御取付基板１８と縦樋１４２および遊技主体収納構造体７８に相当する。相手側部材２４２に設けられた取付部２４４は、図３に示す主制御装置取付部１８８と複合制御装置取付部１９０と図柄制御装置取付部２０１と発射制御装置取付部２０６と縦樋取付部１７６および図外の継端子板取付部に相当する。
【００４６】
図６のａ図に示すように、係合具２２２のくびれ部２２８が、被取付部材２４１の裏側から取付孔２４３に嵌め込まれることによって、受部２２６と掛止部２２７とが、取付孔２４３の周囲における被取付部材２４１を挟む格好となり、係合具２２２が、被取付部材２４１に取り付けられる。そして、操作具２２３の棒本体２３１が、係合具２２２の受部２２６の方向から中心孔２２４に挿入されることによって、係合溝２３５が、突起２３０に嵌め込まれた格好となり、操作具２２３が、係合具２２２に取り付けられる。これによって、固定具２２１が被取付部材２４１に取り付けられる。この被取付部材２４１に取り付けられた固定具２２１の被取付部材２４１より裏側に突出した先端部としての係合具２２２における掛止部２２７が、相手側部材２４２に設けられた後方に開口した筒状の取付部２４４の内部に挿入され、係合具２２２の周囲における相手側部材２４２の前面が取付部２４４の裏面である端面に接触される。
【００４７】
次に、図６のｂ図に示すように、人が、操作具２２３の摘み２３４を裏側から前側に押すことによって、上記突起２３０と係合溝２３５との嵌まり合いが解除され、棒本体２３１が中心孔２２４の内部を前側である奥に進入する。これに伴い、棒本体２３１の外周面が、突起２３０を中心孔２２４の径方向外側に押して、掛止部２２７を押し広げる。この中心孔２２４の径方向外側に押し広げられた掛止部２２７が、取付部２４４を径方向外側に突っ張るように、取付部２４４に接触する。これによって、固定具２２１が取付部２４４に押し込まれた形態となり、被取付部材２４１が、相手側部材２４２に、固定具２２１で、取り付けられる。
【００４８】
図１および図２を参照し、映写装置１の取り付けられた遊技機枠７１の裏側の構造について説明する。遊技機枠７１の裏側の構造は、次のような形態である。タンク１０８と払出機構１０７と裏横樋１４１と縦樋１４２と外部端子板１８０と満タン検出装置１４３と払出制御装置１５１および発射制御装置１５２が、遊技機枠７１の可動枠７５における遊技主体収納構造体７８の裏面に、取り付けられる。よって、タンク１０８と払出機構１０７と裏横樋１４１と縦樋１４２と外部端子板１８０と満タン検出装置１４３と払出制御装置１５１および発射制御装置１５２が、遊技に必要な部品として遊技機枠７１に設けられる映写装置１の周囲の裏面に取り付けられる枠側部品である。投影機駆動回路１４６と主制御装置１４８と複合制御装置１４９と図柄制御装置１５０が、装置筐体２の裏面に、取り付けられる。縦樋１４２と外部端子板１８０と払出制御装置１５１と主制御装置１４８と複合制御装置１４９と図柄制御装置１５０が、固定具１７９；１８３；１９４；１９９；２０４；２０９で、装置筐体２と制御取付基板１８と遊技主体収納構造体７８および縦樋１４２に個別に取り付けられる。よって、電源装置１４５と主制御装置１４８と複合制御装置１４９と図柄制御装置１５０と投影機駆動回路１４６が、映写および遊技の制御に必要な部品として装置筐体２の裏面に設けられる筐体側部品である。
【００４９】
よって、実施形態の構造によれば、図１および図２において、人が、遊技機枠７１の裏側からロック操作体８０を回転操作することで、投影機駆動回路１４６と主制御装置１４８と複合制御装置１４９および図柄制御装置１５０を背負った映写装置１を、遊技機枠７１の裏面に取り付けたり、遊技機枠７１の裏面から取り外したりすることができるという利点がある。人が、図６に示す操作具２２３を、図６に矢印Ｘ１；Ｘ２で示す前後方向に操作することによって、主制御装置１４８と複合制御装置１４９および図柄制御装置１５０を、遊技機枠７１の裏面に取り付けられた映写装置１の裏面に取り付けたり、遊技機枠７１の裏面に取り付けられた映写装置１の裏面から取り外したりすることができるという利点がある。特に、古い遊技盤１１０を異なる種類の新しい遊技盤１１０に交換する、機種替えにおいて、当該機種替えに伴い、主制御装置１４８と複合制御装置１４９および図柄制御装置１５０を交換する場合、主制御装置１４８と複合制御装置１４９および図柄制御装置１５０も、容易に交換することができるという利点がある。この場合、複合制御装置１４９および図柄制御装置１５０に対する主制御装置１４８の出力信号のビットデータを工夫することによって、複合制御装置１４９および図柄制御装置１５０を交換しないようにすることができるので、当該機種替えに伴い交換の必要な制御装置は、少なくとも、主制御装置１４８となることもある。また、主制御装置１４８におけるＲＯＭを主制御装置１４８にＩＣソケットなどを使用して交換可能に設ければ、機種替えに伴い交換の必要な制御装置は、少なくとも、主制御装置１４８のＲＯＭとなることもある。
【００５０】
実施形態の構造によれば、図４に示すように、可動枠７５において、映写装置取付部７９が、中央開口部９６の周囲に設けられ、タンク１０８と払出機構１０７と裏横樋１４１と縦樋１４２と外部端子板１８０と満タン検出装置１４３と払出制御装置１５１および発射制御装置１５２が、映写装置取付部７９よりも外側に取り付けられているので、タンク１０８と払出機構１０７と裏横樋１４１と縦樋１４２と外部端子板１８０と満タン検出装置１４３と払出制御装置１５１および発射制御装置１５２が、可動枠７５に取り付けられたまま、人が、映写装置１を、可動枠７５に取り付けたり、可動枠７５から取り外したりすることができるという利点がある。
【００５１】
実施形態の構造によれば、図１０において、電源装置１４５と投影機駆動回路１４６と主制御装置１４８と複合制御装置１４９と図柄制御装置１５０と投影光源７と液晶表示器８と図７に示すスクリーン５および反射鏡４が、二点鎖線で囲まれた映写装置１に設けられる。表示灯１６５とスピーカー１６６と払出球検出器１６７と球切れ検出器１６８と満タン検出器１６９と発射停止検出器１７１と可変抵抗器１７２と接触検出器１７３と払出制御装置１５１と発射制御装置１５２と外部端子板１８０と払出駆動源１７０および発射駆動源１７４が、二点鎖線で囲まれた遊技機枠７１に設けられる。一般入賞球検出器１５５と作動入賞球検出器１５６と始動入賞球検出器１５７と普通入賞球検出器１５８と特定入賞球検出器１５９と始動駆動源１６１および可変駆動源１６２が、図９に示す遊技盤１１０に設けられる。
【００５２】
したがって、映写装置１および遊技盤１１０が遊技機枠７１に組み付けられた状態において、例えば、古い遊技盤１１０を異なる種類の新しい遊技盤１１０に交換する場合、人が、一般入賞球検出器１５５の配線、作動入賞球検出器１５６の配線、始動入賞球検出器１５７の配線、普通入賞球検出器１５８の配線、特定入賞球検出器１５９の配線、始動駆動源１６１の配線、可変駆動源１６２の配線、電源装置１４５の配線、外部端子板１８０の配線、複合制御装置１４９の配線、払出制御装置１５１の配線それぞれを、主制御装置１４８から取り外し、上記古い遊技盤１１０および当該古い遊技盤１１０に対応するＲＯＭの格納された主制御装置１４８を、遊技機枠７１および映写装置１から取り外す。その後、人が、新しい遊技盤１１０および当該新しい遊技盤１１０に対応するＲＯＭの格納された主制御装置１４８を、遊技機枠７１および映写装置１に取り付けることによって、古い遊技盤１１０を異なる種類の新しい遊技盤１１０に交換することができるという利点がある。
【００５３】
映写装置１を遊技機枠７１から取り外す際において、遊技機枠７１に遊技盤１１０が取り付けられている場合は、人が、一般入賞球検出器１５５の配線、作動入賞球検出器１５６の配線、始動入賞球検出器１５７の配線、普通入賞球検出器１５８の配線、特定入賞球検出器１５９の配線、始動駆動源１６１の配線、可変駆動源１６２の配線、表示灯１６５の配線、スピーカー１６６の配線、外部端子板１８０の配線、払出制御装置１５１の配線のそれぞれを、主制御装置１４８および複合制御装置１４９から、取り外せばよいという利点がある。映写装置１を遊技機枠７１から取り外す際において、遊技機枠７１に遊技盤１１０が取り付けられていない場合は、人が、表示灯１６５の配線、スピーカー１６６の配線、外部端子板１８０の配線、払出制御装置１５１の配線それぞれを、主制御装置１４８および複合制御装置１４９から、取り外せばよいという利点がある。
【００５４】
一般入賞球検出器１５５の配線と作動入賞球検出器１５６の配線と始動入賞球検出器１５７の配線と普通入賞球検出器１５８の配線と特定入賞球検出器１５９の配線と始動駆動源１６１の配線および可変駆動源１６２の配線それぞれを集合する中継端子が、遊技盤１１０に設けられ、当該遊技盤１１０に設けられた中継端子から主制御装置１４８に接続する配線が、一般入賞球検出器１５５の導体と作動入賞球検出器１５６の導体と始動入賞球検出器１５７の導体と普通入賞球検出器１５８の導体と特定入賞球検出器１５９の導体と始動駆動源１６１の導体および可変駆動源１６２の導体の集合されたフレキシブルケーブルのような多線集合配線で形成され、この多線集合配線に、上記一般入賞球検出器１５５の導体と作動入賞球検出器１５６の導体と始動入賞球検出器１５７の導体と普通入賞球検出器１５８の導体と特定入賞球検出器１５９の導体と始動駆動源１６１の導体および可変駆動源１６２の導体と個別に接続した端子を有する多ピンコネクタが結線され、この多ピンコネクタが主制御装置１４８の入力部に設けた多ピンコネクタに接続される構造に形成すれば、一般入賞球検出器１５５、作動入賞球検出器１５６、始動入賞球検出器１５７、普通入賞球検出器１５８、特定入賞球検出器１５９、始動駆動源１６１、可変駆動源１６２のぞれぞれと主制御装置１４８との接続と接続解除との作業が、一層、容易となるという利点がある。
【００５５】
映写装置１と遊技機枠７１とを接続する配線の被覆の色が、映写装置１の内部における配線の被覆の色や遊技機枠７１の内部における配線の被覆の色と、色違いになっており、当該映写装置１と遊技機枠７１とを接続する配線の被覆の色の配線を外す作業説明の記載された情報表示体が、映写装置１または遊技機枠７１の裏側から見やすい位置に設けられれば、映写装置１を、遊技機枠７１に取り付けたり、遊技機枠７１から取り外したりする場合における配線の接続と接続解除との作業が、より一層、容易となるという利点がある。
【産業上の利用可能性】
【００５６】
遊技機として球を使用するスロットマシン、メダルを使用するスロットマシンにも適用することができる。
【図面の簡単な説明】
【００５７】
【図１】パチンコ機を示す裏面図（一実施形態）。
【図２】パチンコ機を裏側から示す斜視図（同実施形態）。
【図３】遊技機枠の裏側を示す分解斜視図（同実施形態）。
【図４】映写装置と遊技機枠との裏側を示す分解斜視図（同実施形態）。
【図５】固定具を示す分解斜視図（同実施形態）。
【図６】固定具の内部構造を示す断面図（同実施形態）。
【図７】映写装置を前側から示す斜視図（同実施形態）。
【図８】遊技機枠を前側から示す斜視図（同実施形態）。
【図９】映写装置と遊技機枠と遊技盤とを前側から示す分解斜視図（同実施形態）。
【図１０】電気系統を示すブロック図（同実施形態）。
【符号の説明】
【００５８】
１  映写装置、２  装置筐体、３  投影機、４  反射鏡、５  スクリーン、
７１  遊技機枠、１０７  払出機構、１４５  電源装置、１４６  投影機駆動回路、
１４８  主制御装置、１４９  複合制御装置、１５０  図柄制御装置、
１５１  払出制御装置、１５２  発射制御装置、１７９  固定具、１８３  固定具、
１９４  固定具、１９９  固定具、２０４  固定具、２０９  固定具。
【図１】
2005160849.tif 000003
【図２】
2005160849.tif 000004
【図３】
2005160849.tif 000005
【図４】
2005160849.tif 000006
【図５】
2005160849.tif 000007
【図６】
2005160849.tif 000008
【図７】
2005160849.tif 000009
【図８】
2005160849.tif 000010
【図９】
2005160849.tif 000011
【図１０】
2005160849.tif 000012